(57)【要約】　　　（修正有）【課題】ゴミ袋の集積に要する面積をすこしでも小さくすることができ、ゴミ袋が鳥獣に破られて生ゴミが食い散らかされる事のない、ゴミ袋集積のための鳥獣よけバスケットを供給する。【解決手段】ネット２を円錐台状に形成し、下部の縁の部分からゴミ袋７が外にはみ出すことがないように、その縁の部分に鎖６を施し設け、その上部の縁の部分をゴミ袋７を入れる入口とし該入口には、その形状が、だ円形で弾力性に富んだ材質で作られた口金５を取り付け、更に口金５には鳥獣のいたずらによって開いた口金５からゴミ袋７が顔を出したり、ゴミ袋７が破枯れたりする事がないように、口金５の対面する二か所に止金の役目をする磁石４を設けた鳥獣よけバスケット。【選択図】図７
0003100349.tif 000002
【実用新案登録請求の範囲】
【請求項１】
　円錐台状に形成したネット（２）の下部の縁部分からゴミ袋（７）がはみ出さないようにその縁部分に鎖（６）を設け，上部の縁部分をゴミ袋（７）を入れる入口（１）として、該入口にはその形状が，だ円形をした口金（５）を設けた事を特徴とする鳥獣よけバスケット。
【請求項２】
　上部の入口（１）に設けた口金（５）から、ゴミ袋（７）が鳥獣にいたずらされるのを防ぐため、該口金を簡単に閉じる事が出来るように、だ円形をした口金（５）の対面する二か所に、磁石（４）を設けた事を特徴とする請求項１記載の鳥獣よけバスケット。
【考案の詳細な説明】
【考案の詳細な説明】
【産業上の利用分野】
【０００１】　家庭から排出される生ゴミは、ゴミ袋に収納して定められた収集日に地域のゴミ集積場に出しますが、これをカラスや犬猫に食い散かされたり、強風によりゴミ袋が路上に転げ出してゴミが散乱し、その後始末に大変な思いをする事があります、その様な被害を防ぐために色々な取組がなされていますが、これと言った良い方法が現状では無いのが実態です、本考案は集積されたゴミ袋が鳥獣に食い散かされたり、ゴミ袋が風で路上に転げ出すのを防止すると共に、集積されたゴミ袋が道を占拠して歩行者の歩行や自転車の走行に障害を来す事のないようにゴミ袋を効率良く集積し、又、ゴミ袋をゴミ集積場に持参する地域の人が利用しやすく、さらに、ゴミを回収する業者の方が、スムーズに作業を進めて行く事が出来るゴミ飛散防止用具を供給することを目的にしています。
【従来の方法】
【０００２】　従来では集積された生ゴミが鳥獣に食い散かされたり風でゴミ袋が路上に転げ出すのを防ぐために、ゴミ集積ボックスの設置やネット等を被せる等の対策が取られていた。
　しかし、集積ボックスはボックスであるがゆえゴミ袋の出し入れが大変困難で回収する業者の方も苦労していた、最近ではゴミの分別が義務づけられゴミの出し方も複雑になっており、ゴミ集積ボックスを撤去するように指導する町村が増えています。
　一方、集積したゴミ袋にネットを被せる方法では、その都度ネットを被せたり剥したりしなければなりません、又、ネットの裾を捲り上げてゴミ袋を放り込むために、ゴミ袋を高く積み上げる事が難しくゴミ集積に要する場所の面積がゴミの量に比例して広くなり、歩行者の歩行の妨げになりました。
【考案が解決しようとする課題】
【０００３】　考案が解決しようとする課題は整理すると次の５項目にまとめることができる
【０００４】▲１▼　鳥獣を寄せ付けぬため集積したゴミ袋をネットで覆う方法においては、その都度ごとにネットの掛け剥がしと、ゴミ袋が回収された後でのネットの片付等々の煩わしさがありました。
【０００５】▲２▼　集積されたゴミ袋の量が増大すると、それを覆うに足りるより大きなネットが必要となり、合わせてゴミ袋の集積面積も広くなりました，したがって歩道をふさいだりして交通の障害を来した。
【０００６】▲３▼　ネットはゴミ袋を覆う時に掛け損じると、ネットの裾からゴミ袋がはみ出す事がありこの掛け損じた部分から鳥獣がゴミ袋を引き出して食い散かすため、鳥獣による生ゴミの食い散かしを防ぐためのせっかくのネットがその用をはたさないことがあった。
【０００７】▲４▼　近年ゴミの分別が義務付けられ分別方法がより複雑になっている事から、回収する業者の負担が大きくなっている上に、ゴミを回収した後でネットを片付けねばならぬ等、業者に余計な労力をかけさせていた。
【０００８】▲５▼　バスケットの入り口となる口金（５）の開閉をより簡単にしたい。
【課題を解決するための手段】
【０００９】　本考案は上記の課題を解決する為に，円錐台状に形成したネット（２）の下部の縁部分からゴミ袋（７）がはみ出さないように、その縁部分に重しとなる鎖（６）を施し設け、上部の縁部分をゴミ袋を入れる入口（１）とし、該入口にはその形状が、だ円形で材質は柔らかく弾力性に富んだプラスチックを使用した口金（５）を設けた，口金は利用者には簡単に開閉する事が出来ますが、鳥獣には口金を開く事が出来ないようにするために、口金（５）の対面する二か所に磁石（４）を設けた。
　以下、鳥獣よけバスケットを図面に基ずいて説明すると、図１で示すようにネットを女性のスカートに似た円錐台状に形成し、このネット（２）の円錐台状に形成した下部の縁部分を出口（３）とし、この縁部分からゴミ袋（７）がはみ出さないように重しとなる鎖（６）を施し設け，次にネット（２）の円錐台状に形成した上部の縁部分をゴミ袋を入れる入口（１）とし、該入口には、図３で示すように柔らかく弾力のある材質で作られた口金（５）を設け、入口（１）から入れられたゴミ袋（７）が利用者の離れたすきに鳥獣が口金（５）を開いていたずらするのを防ぐため、閉じた口金（５）が鳥獣では開く事が出来ないように、形状が、だ円形で弾力性富んだ口金（５）の対面する二か所に止め金となる磁石（４）を設けた。
【考案を実施するための最良の形態】
【００１０】　本考案の鳥獣よけバスケットは，ゴミ回収日に地域の集積場に、図５で示すように口金（５）が上方に位置するようにして地面に置きます、利用者は鳥獣よけバスケットの入り口の口金（５）を開いてゴミ袋（７）を次々と放り込みます、ゴミ袋（７）が入れられたバスケットは必ず口金（５）を閉じなければなりませんが、この時に口金（５）は簡単な方法で閉じられ、且つ、鳥獣には容易に開くことが出来ないようにしっかりと止められなければなりません、ゴミ袋（７）を入れ終えた利用者は手を口金（５）から放す時に、該口金の二か所に設けた磁石（４）を近づけます、図４に示すように磁石（４）は互いに引き合いピッタリとくっついて口金（５）を８の字の形状に閉じることができます、この状態の口金（５）には多少隙間があり完全に入り口が封じられた状態ではありませんが、利用者が口金（５）をゴミ袋（７）の上にのせて手を放しますと、口金（５）は図６に示すように磁石（４）と自身の重みで首を垂れるように下向きになりますので、鳥獣は８の字の形状に閉じた口金（５）の隙間からゴミ袋（７）をいたずらする事はできないのです、この様にしてゴミ袋（７）は次々に入れ込まれ、やがて鳥獣よけバスケットはゴミ袋（７）で一杯になってその側面は膨らみますが、ゴミ集積に要する面積は殆ど変わらず効率良くゴミ袋を集積する事ができます、鳥獣よけバスケットには底がなく開いているのでゴミ袋（７）が外にはみ出す事が考えられますが、ネット（１）の下部の出口（３）となる裾の部分に重しとなる鎖（６）が施し設けられており、ゴミ袋を押さえ付けますからゴミ袋がバスケットの底から外にはみ出すことはなく、鳥獣がゴミ袋（７）を破ることは出来ません、しかるに生ゴミが鳥獣に食い散かされたり、ゴミ袋が風で飛散することは完全に防ぐ事ができるのです、鳥獣よけバスケット内に集積されたゴミ袋（７）は、やがて回収業者の手で取り出されますが、この時は、鳥獣よけバスケットの下部であるネット（２）の裾の部分を軽くまくり上げる事により、ゴミ袋（７）を簡単に鳥獣よけバスケット内から取り出すことができます。
【考案の効果】
【００１１】　本考案は上述の通り構成されているので次ぎに記載する効果を奏する。
【００１２】▲１▼　ゴミ袋が次々と積み上げられて鳥獣よけバスケット内に収納されるので、ゴミ集積場のスペースが節約できますから，道をゴミ袋が占拠して交通の妨げをすることを抑える事ができる。
【００１３】▲２▼　鳥獣よけバスケットを使用することにより従来のゴミ袋をネットで覆う、ネットを剥がす、ネットを片付ける等の煩わしさが解消されます。
【００１４】▲３▼　鳥獣よけバスケットの中に集積されたゴミ袋（７）が、鳥獣よけバスケットの下部の縁部分に設けた鎖（６）で押さえ付けられますので、ゴミ袋が鳥獣よけバスケットの下部の縁部分からはみ出る事はなく、鳥獣によりゴミ袋が破られて生ゴミの食い散かしや、風でゴミ袋が散乱するのを完全に防止することができる。
【００１５】▲４▼　ゴミを回収する業者が、楽にゴミ袋（７）を鳥獣よけバスケットの内からその裾の部分を軽くまくり上げるだけで出すことが出来る。
【００１６】▲５▼　口金（５）に磁石（４）を設けて、磁石の引き合う力による止め金の作用を持たせたことにより、口金（６）の閉じ忘れによる鳥獣のいたずらを防止する事が出来る。
【図面の簡単な説明】
【図１】　鳥獣よけバスケットを形成するために、ネットが円錐台状に巻かれた状態図
【図２】　入口に口金を設けた鳥獣よけバスケットの斜視図
【図３】　口金に磁石を設けた鳥獣よけバスケットの上面図
【図４】　磁石で口金が閉じられた状態をしめす鳥獣よけバスケットの上面図
【図５】　ゴミ集積場に鳥獣よけバスケットを設置した状態をしめす斜視図
【図６】　ゴミ袋が鳥獣よけバスケットの中に入れ込まれた状態をしめす斜視図
【図７】　ゴミ袋が鳥獣よけバスケットの中で満杯になった状態をしめす斜視図
【符号の説明】
　　１　入口
　　２　ネット
　　３　出口
　　４　磁石
　　５　口金
　　６　鎖
　　７　ゴミ袋
【図１】
0003100349.tif 000003
【図２】
0003100349.tif 000004
【図３】
0003100349.tif 000005
【図４】
0003100349.tif 000006
【図５】
0003100349.tif 000007
【図６】
0003100349.tif 000008
【図７】
0003100349.tif 000009